(57)【要約】【課題】従来技術が有する問題を解決しようとするもので、特に、従来技術では電灯及び電灯取付具、更には駆動手段等を電柱や支柱の外側に設けているので、防水対策や腐食防止対策等の問題点を有する結果となっている。【解決手段】中空状の支柱３の上部に照明具を設けてなる街路灯１において、該照明具は、電灯を装着する電灯装着部を有して該支柱３内を上下動する電灯取付具２を備え、該電灯取付具２に連結された棒状の支持具４を備え、該支柱３の下部に、電灯取付具２に装着した電灯を交換する電灯交換部を備え、該支持具４を上下動させて、該電灯取付具２及び該電灯取付具２に装着された電灯とを該支柱３内で上下動させることを特徴とする。【選択図】図１
2008293948.tif 000002
【特許請求の範囲】
【請求項１】
中空状の支柱の上部に照明具を設けてなる街路灯において、
該照明具は、電灯を装着する電灯装着部を有して該支柱内を上下動する電灯取付具を備え、
該電灯取付具に連結された棒状の支持具を備え、
該支柱の下部に、電灯取付具に装着した電灯を交換する電灯交換部を備え、
該支持具を上下動させて、該電灯取付具及び該電灯取付具に装着された電灯とを該支柱内で上下動させることを特徴とする電灯交換機能付街路灯。
【請求項２】
請求項１記載の電灯交換機能付街路灯において、
該支持具が、軸方向に支持剛性を有し、軸と直角方向に屈曲可能な棒状の支持具であることを特徴とする電灯交換機能付街路灯。
【請求項３】
請求項２記載の電灯交換機能付街路灯において、
該支柱の下部に、支持具の下端部を保持する保持具を備えることを特徴とする電灯交換機能付街路灯。
【請求項４】
請求項１ないし３のいずれか１つに記載の電灯交換機能付街路灯において、
該電灯取付具の周面に、支柱内面に接触して上下動する案内部を設けてなることを特徴とする電灯交換機能付街路灯。
【請求項５】
請求項１ないし４のいずれか１つに記載の電灯交換機能付街路灯において、
該電灯交換部が、該支柱の側面に、該支持具の少なくとも下側部分を引き出すことができる開口部を備え、
該開口部を封鎖する開閉蓋が設けられており、
該開口部から該支持具の下側部分を屈曲させて引き出すことで、該電灯取付具を該支柱内で該開口部まで下降させることができることを特徴とする電灯交換機能付街路灯。
【発明の詳細な説明】
【技術分野】
【０００１】
本発明は、電灯の交換を簡単にした電灯交換機能付街路灯に関するものである。
【背景技術】
【０００２】
従来の技術として電柱等の外側に昇降体を取り付け、該昇降体に電灯を取り付け、昇降体を昇降させる昇降機構を設けて電灯を電柱等に沿って所定位置まで引き上げ可能にしたことを特徴とする街路灯昇降装置がある(特許文献１参照)。
【０００３】
また、別の従来技術として、高所位置に取付けられるブラケットと、前記ブラケットに着脱自在に取り付けられる照明器具ホルダーと、低所からの操作で前記照明器具ホルダーを前記ブラケットに着脱させる着脱操作ポールとを備えており、前期照明器具ホルダーは、前記着脱操作ポールの先端部分を嵌合するようになっているとともに、前記先端部分を嵌合した状態にある着脱操作ポールの操作に対応して、照明器具ホルダーがブラケットにロックされた状態またはロック解除された状態となるように切り替え可能となる切り替え手段を備えたポール嵌合部が設けられている照明器具の着脱装置がある(特許文献２参照)。
【特許文献１】実開平5-66814号公報
【特許文献２】特開2005-71691号公報
【発明の開示】
【発明が解決しようとする課題】
【０００４】
上記特許文献1においては、電柱等の外側に昇降体及び昇降機構（滑車、ロープ）を設けてなるもので、これらの昇降体及び昇降機構の防水対策や耐腐蝕対策が必要であると共に、電柱から外側に余分に飛び出るために、余分なスペースを必要とする上に見映えも悪く、実用性に乏しい。また、上記特許文献２においては、ポールの外側にブラケットや照明器具ホルダーを配置しているので、これらのブラケットや照明器具ホルダーの防水対策や耐腐蝕対策が必要であると共に、電柱から外側に余分に飛び出るために、余分なスペースを必要とする上に見映えも悪い。その上、低所で着脱操作ポールを操作して、高所にあるブラケットと照明器具ホルダーを着脱するようになっており、確実性に欠けると共に、常に上方を向いて作業しなければならず、作業者に大きな負担があるものである。
【０００５】
本発明で、このような従来技術が有する問題を解決しようとするもので、特に、従来技術では電灯及び電灯取付具、更には駆動手段等を電柱や支柱の外側に設けているので、上述したような問題点を有する結果となっていることを解決することにチャレンジした。即ち、本発明では、電灯及び電灯取付具を取付けている支柱として、中実の支柱だけでなく中空の支柱も多くあることに着目して、中空の支柱に対して、その内部の空間を利用できないかということに開発の主眼をおいて研究した。その結果、本発明では支柱内で電灯および電灯取付具を上下動させるようにして、その上、電灯及び電灯取付具を低所にまで下ろして、作業者が操作しやすい位置・操作しやすい姿勢で新しい電灯と交換して、再度、電灯及び電灯取付具を支柱内を通して、高所にある元の所定位置に戻すようにしたことを特徴とする。
【０００６】
交換作業としては、支柱の下部の開口部より、支持具の下部を取り出して手前に引くことにより、電灯取付部を支柱内で下方に移動して開口部より取り出し、電灯取付部に装着した古い電灯と新しい電灯とを交換し、再度開口部より挿入し、支持具にて電灯取付部を押し上げるので、作業者が操作しやすい位置で且つ操作しやすい姿勢で簡単な操作で交換できる。また、電灯取付部を支柱内で下方に移動した状態で開口部より電灯取付部を取り出さずに、電灯を電灯取付部の電灯装着部から取り外して、新しい電灯と交換するようにしても良い。本発明では、特に、支持具を、軸方向に支持剛性を有し、軸と直角方向に屈曲可能な棒状の支持具とすることで、特別な工具や技術を有することなく、この支持具を引き下げることで誰でも簡単・確実に作業を行える電灯交換機能付街路灯を提供するものである。
【課題を解決するための手段】
【０００７】
本発明は、上記目的を達成するために、請求項１では、中空状の支柱の上部に照明具を設けてなる街路灯において、該照明具は、電灯を装着する電灯装着部を有して該支柱内を上下動する電灯取付具を備え、該電灯取付具に連結された棒状の支持具を備え、該支柱の下部に、電灯取付具に装着した電灯を交換する電灯交換部を備え、該支持具を上下動させて、該電灯取付具及び該電灯取付具に装着された電灯とを該支柱内で上下動させることを特徴とする。
【０００８】
請求項２の発明は、請求項１記載の電灯交換機能付街路灯において、該支持具が、軸方向に支持剛性を有し、軸と直角方向に屈曲可能な棒状の支持具であることを特徴とする。
【０００９】
請求項３の発明は、請求項２記載の電灯交換機能付街路灯において、該支柱の下部に、支持具の下端部を保持する保持具を備えることを特徴とする。
【００１０】
請求項４の発明は、請求項１ないし３のいずれか１つに記載の電灯交換機能付街路灯において、該電灯取付具の周面に、支柱内面に接触して上下動する案内部を設けてなることを特徴とする。
【００１１】
請求項５の発明は、請求項１ないし４のいずれか１つに記載の電灯交換機能付街路灯において、該電灯交換部が、該支柱の側面に、該支持具の少なくとも下側部分を引き出すことができる開口部を備え、該開口部を封鎖する開閉蓋が設けられており、該開口部から該支持具の下側部分を屈曲させて引き出すことで、該電灯取付具を該支柱内で該開口部まで下降させることができることを特徴とする。
【発明の効果】
【００１２】
請求項１の発明によると、電灯及び電灯取付具を支柱内で上下動させるので、外側の環境、即ち風雨にさらされることがないので、従来技術のような防水対策や防食対策が不要である。その上、外観上からもすっきりしたものとすることができ、見映えに優れる。特に、人手の届く楽な位置まで電灯取付具を下降させ、且つ楽な姿勢のところに電灯取付具を移動させて交換作業をできるので、交換作業性に優れる。
【００１３】
請求項２の発明によると、特別な工具を必要とすることなく、電灯取付具を上下動できるので、簡単・確実に電灯の取り付け、取り外し作業を行うことができる。
【００１４】
請求項３の発明によれば、保持具に支持具の下端部を保持させることによって、支持具を自立させた状態で保持できる。
【００１５】
請求項４の発明によれば、案内部を設けることにより、電灯を傷つけることなく、電灯取付具を上下動でき、かつ、電灯を所要の位置にセットできる。また、案内部を出入自在に設ける場合には、支柱の内寸にバラツキや変化（頂部に行くほど細くなる等）があってもスムースに移動することができる。
【００１６】
請求項５の発明によれば、開口部から電灯取付具を取り出して、電灯取付具の装着部に装着された古い電灯を取り外す作業、及び新しい電灯を電灯取付具の装着部に装着する作業が、作業し易い姿勢で且つ作業し易い高さで実現できるので、交換作業性に優れる。
なお、電灯は、電灯取付具を開口部まで下げた状態で交換しても良く、この開口部から電灯取付具を支柱の外部に取り出してから交換するようにしても良い。
【発明を実施するための最良の形態】
【００１７】
（実施形態１）
図1〜図３に基づいて、本発明の実施形態１を説明する。図１は、電灯交換機能付街路灯の一部縦断正面図を示し、図２は交換状態を説明する一部縦断正面図を示す。図３は案内部の拡大断面図を示す。
【００１８】
電灯交換機能付街路灯１は、円柱状の電灯取付具２及び中空円筒形状の支柱３を備える。支柱３の上端部に、ガラス製等による略球形状のカバー3cが固定されている。カバー3cの中に電灯Ｄが位置して、街路を照明するようになっている。電灯取付具２の円筒形の取付具本体2aの上面に電灯Ｄを装着する電灯装着部２ｃが設けられている。この電灯装着部２ｃに電灯Dの下部をねじ込む、嵌めこむ等で電灯Dが電灯取付具２に装着されるようになっている。取付具本体2aの外周上下少なくとも4箇所に、案内部2bが設けられている。また、支柱3の上部内周面に上下2箇所に、上記案内部2bを係止するリング状の係止部3aが設けられている。案内部２ｂと係止部3aとは通電可能に形成してある。支柱３が電灯Dに通電する導電路を構成している。
【００１９】
支持具４は、軸方向に適度な剛性を有し、軸と直角な方向に屈曲可能な棒状であり、例えばグラスファイバー、板バネ等からなる。支持具４は上記電灯取付具２の下部に屈曲可能に、例えばユニバーサルジョイント等で連結されている。
【００２０】
保持具５は、支持具４の下端部を係止して保持するものであって、合成樹脂製等で方形状に成形され、支柱３の下部に設けられている。保持具５の上面には、テーパー状に形成した溝5aが設けられている。電灯取付具２及び電灯D の取出用の開口部3bが、保持具５の上側位置に形成されている。開口部3bの位置は、後で説明する交換作業において、人手で届く高さ位置となっていることが好ましい。
【００２１】
案内部2bの詳細を、図3により説明する。案内部2bは、取付具本体2aの外周に形成された凹部2a1に収納されている。案内部2bは、先端に支柱３の内面に接触するベアリング2b1を有し、凹部２a１に突出し設けられた突出部2a2に外装されて摺動する筒部２ｂ２を有する。筒部２ｂ２の外周に配設されたスプリングSによって、取付具本体2aの凹部2a1から飛び出る方向に強いられている。なお、案内部2bが飛び出て抜け出ない構成としては、図示を省略するが、筒部２ｂ２と突出部2a2とでお互いの移動量を規制することでできている。
【００２２】
実施形態１に係わる電灯交換機能付街路灯1の電灯交換作業について、図２を利用して、説明する。まず、ボルトBを緩めて取外し、取出用の開口部3bを封鎖している開閉蓋３ｄを取り外す。取り外した開閉蓋３ｄは、完全に取り外して、例えば地面等に置く。なお、開閉蓋３ｄを完全に取り外すのではなく、ヒンジ等で開口部３ｂの側部に取付けられていて、支柱３の周りで回転して開口部を開口したり封鎖するようにしても良い。次に、開口部3bから作業員が手を挿入して、支持具4の下部を持って手前に引き、保持具5から取り外す。更に、支持具4を少し下方に引っ張ることにより、電灯取付具2の案内部2bが係止部3aより外れる。そのまま支持具4を開口部3bから取り出すように引っ張ることにより、電灯取付具2が開口部３ｂの位置まで下降する。この状態で、開口部3bから電灯取付具2及び電灯Ｄを取り出して、手元に電灯取付具2を引きよせる。そして、電灯取付具2の装着部２ｃから古い電灯を取り外して新しい電灯を装着部２ｃに装着する。この作業が人手の手元で作業し易い姿勢でできるので、非常に作業性に優れる。電灯Dを交換後は、電灯Ｄ及び電灯取付具2を取出口3bより挿入し、電灯取付具2の案内部2bが支柱３の内面に接触する状態に入れ込む。そして、支持具4を上方に押し上げ、電灯取付具2の案内部2bが係止部3bに係止した時点で支持具4の下端を保持具5の溝5aに圧入して保持する。最後に取出口3bに開閉蓋３ｄを被せて封鎖し、開閉蓋３ｄをボルトBにて固定する。上記のように、支持具4が軸方向での剛性を有するので、電灯取付具2を押し上げて保持することができ、また、屈曲性を備えて曲がり得るので、支持具４を滑らかな曲がりで曲げて操作でき、操作性に優れる。
【００２３】
なお、開閉蓋３ｄをボルトBで支柱３に取付けるようにしているが、ボルトBに限られるものではなく、他の手段でも良い。
【００２４】
また、支持具４を引き出した際に、引き出した部分は、そのまま地面等に長手方向に延ばしたままで放置しても良いが、例えば、渦巻状に巻き取るようにしてもよい。その際には、巻尺の原理のような道具を用いて渦巻状に巻き取るようにしても良い。この場合の道具は、共通に使えるものを用意して、交換作業時に持ってくるようにしても良いし、支柱３内に収納するようにしても良い。或いは、単なる棒状部材で巻き取るようにしても良い。
【００２５】
（実施形態２）
実施形態２について、図４に基づいて説明する。実施形態１と異なる部分のみ説明し、同じ部分の説明は省略する。実施形態２では、実施形態１の電灯取付部２の案内部２ｂの別構造を示す。支柱３の係止部３ａに係止する駒１２が、取付具本体２ａの凹部２ａ１にコイルスプリングＳ１で外に飛び出る方向に強いられて配置されている。そして、駒１２が飛び出ることを防止するためのストッパ１１が取付具本体２ａに取り付けられている。駒12の脚部12aが凹部2a1の側面を摺動するようになっており、取付具本体2aが支柱３の内面を上下動する際に駒12が傾くことを防止している。
【００２６】
実施形態２でも、実施形態１と同様な作動であり説明を省略する。実施形態２でも、実施形態１と同様な作用・効果を得られる。
【００２７】
（実施形態３）
実施形態３について、図５に基づいて説明する。実施形態１と異なる部分のみ説明し、同じ部分の説明は省略する。実施形態３では、実施形態１の電灯取付部２の取付具本体の別構造を示す。取付具本体２１は、円筒形状であって、外周数カ所に板バネＳ２が取付体２３で取付具本体２１に取り付けられている。板バネＳ２の上下端部Ｓ３は、略半円形状に形成され、支柱３の内面に接触して滑るようになっており、一方の端部Ｓ３が強圧縮されると他方の端部Ｓ３が伸びるような、所謂シーソー的な動きをするようになっている。特に、この実施形態３では、支柱３の内径が下部でも上部でも同径のものだけでなく、上部で徐々に内径が細くなっている場合でも適用できる点で優れている。また、支柱３が直立したタイプで無く、上部が滑らかに湾曲したタイプでのものでも、取付具本体２１がその湾曲構造に応じて滑らかに上下動しやすいので、適用しやすい。
【００２８】
（実施形態４）
実施形態４について、図６に基づいて説明する。実施形態１と異なる部分のみ説明し、同じ部分の説明は省略する。実施形態４では、実施形態１の電灯取付部２の取付本体２ｂの別構造を示す。即ち、案内部が取付具本体３１に上下方向に回転可能に取り付けられたローラ３２からなる。取付具本体３１が上下動する際に、ローラ３２が支柱３の内面を回転することで、滑らかに上下動することができる。なお、必要であれば、このローラ３２をバネなどで外側に強いるような構造にしても良い。
【００２９】
（実施形態５）
実施形態５について、図７に基づいて説明する。実施形態１と異なる部分のみ説明し、同じ部分の説明は省略する。実施形態５では、実施形態１の電灯取付部２の案内部２ｂの別構造を示す。即ち、案内部が取付具本体４１に一体に形成され、球体の一部のような形状の突出部４２からなる。支柱３の内径が同じで直立したタイプであって、取付具本体４１が上下動し易い構造の場合には、コスト的には有利であり、適用しやすい。
【００３０】
（実施形態６）
実施形態６について、図８に基づいて説明する。実施形態１と異なる部分のみ説明し、同じ部分の説明は省略する。実施形態６では、実施形態１の電灯取付部２の取付本体２ａの別構造を示す。即ち、取付具本体５１が、略太鼓状の周面形状となっている。支柱３の内径が同じであって、取付具本体５１が上下動し易い構造の場合には、コスト的には有利であり、適用しやすい。また、取付具本体５１が上方位置に移動した際の上方位置を規制する段部３ｄが設けられている。また、電灯Ｄ用の配線６を別途垂れ下がるように設けたものを示す。この段部３ｄは、実施形態１〜５に適用しても良い。実施形態３〜６において、取付具本体が上方位置に移動した際に位置決めするとともに、不用意な落下を防止するためには、実施形態１や２と同様な係止部を設けるようにしても良い。配線６は、この実施形態６に限らず、他の実施形態でも採用しても良い。
【００３１】
（実施形態７）
実施形態７について、図９に基づいて説明する。実施形態１と異なる部分のみ説明し、同じ部分の説明は省略する。実施形態７では、実施形態１の保持具５の別構造を示す。即ち傾斜した溝でなく、単なる窪み５ｂとしたものである。
【００３２】
この実施形態7では、窪み５ｂによって支持具４の下端部を確実に保持できる。
【００３３】
なお、上延した実施形態では、支持具４の下端部を保持具で保持するようにしたが、この実施形態や他の実施形態でも、支持具の下端部は保持具に固定されていて、その直上の部分を開口部３ｂから引き出すようにしても良い。
【００３４】
（実施形態８）
実施形態８について、図１０に基づいて説明する。実施形態１と異なる部分のみ説明し、同じ部分の説明は省略する。実施形態１０では、電灯の交換時に、電灯取付具２の取付具本体２ａを支柱３から取り出さずに交換するタイプを示す。即ち、開口部３３ｂが大きな開口面積を備え、取付具本体２ａが下降した際に、電灯Ｄが開口部３３ｂから覗いて見える位置にある。この状態で、電灯Ｄを装着部２ｃから取り外して、新しい電灯と交換する。なお、電灯交換のためには、開口部３３ｂは、電灯Dを交換できる大きさ及び支持具４を抜き出すことができる大きさであればよいので、これらの部分のみ２箇所開口するようにしても良い。
【００３５】
また、少しコストアップになるが、支持具４を支柱３から引き出さずに、支柱３内の下端部で巻き取れるような構成として、電灯取付具が支柱内を上下動するようにしても良い。
【００３６】
支柱の形状は、支柱３が直立した垂直タイプでもよく、また、支柱３が直立したタイプで無く、上部が滑らかに湾曲したタイプでのものでも良い。また支柱は、先端になるに従って徐々に細くなった中空形状であっても良い。このように内径が徐々に変化していたり、支柱の上部は滑らかに湾曲したタイプでは、案内部の構造を対応できる構造にすることによって対応できるものである。また、支柱の断面形状は、円形状でも、楕円形状でも、矩形状でも良く、必要に応じて選定できる。
【００３７】
また、案内部の形状は、同様な機能効果を有するものであれば、特に限定しない。
【００３８】
電灯は、街路灯に使用されるものであれば、特に限定されるものではなく、例えば、ハロゲンランプ、白色光、蛍光灯、ＬＥＤ灯、ソーラー光等が使用される。電灯の形状は実施形態１のような略球状に限られるものではなく、どのような形状でも良い。特に、LED灯にすれば、長寿命であり、省電力化できる。
【００３９】
さらにまた、取出用の開口部の位置は、人手で作業しやすい高さとすることが好ましく、地面より1ｍ〜1.5ｍ位が適当である。
【００４０】
なお、電灯への通電は、通常の方法で良く、詳細な説明は省略したが、支柱を導電体として利用してもよく、実施形態６の配線６のような有線でも可能であり、無線でも良い。いずれの実施形態でもどのような通電経路にしても良く、特に限定しない。
【産業上の利用可能性】
【００４１】
以上説明したように、本発明は、例えば、歩道等に設置されている街路灯に適用することができる。
【図面の簡単な説明】
【００４２】
【図１】電灯交換機能付街路灯の一部縦断正面図を示す。
【図２】交換状態を説明する一部縦断正面図を示す。
【図３】案内部の拡大断面図を示す。
【図４】実施形態２に係わり、電灯取付具の部分図を示す。
【図５】実施形態３に係わり、電灯取付具の部分図を示す。
【図６】実施形態４に係わり、電灯取付具の部分図を示す。
【図７】実施形態５に係わり、電灯取付具の部分図を示す。
【図８】実施形態６に係わり、電灯交換機能付街路灯の部分図を示す。
【図９】実施形態７に係わり、支柱の部分図を示す。
【図１０】実施形態８に係わり、電灯交換機能付街路灯の部分図を示す。
【符号の説明】
【００４３】
1        電灯交換機能付街路灯
2        電灯取付具
2a       取付具本体
2a1      凹部
2b       案内部
2b1      ベアリング
3        支柱
3a       係止部
3b       取出口
3ｃ       カバー
S        スプリング
D       電球
【図１】
2008293948.tif 000003
【図２】
2008293948.tif 000004
【図３】
2008293948.tif 000005
【図４】
2008293948.tif 000006
【図５】
2008293948.tif 000007
【図６】
2008293948.tif 000008
【図７】
2008293948.tif 000009
【図８】
2008293948.tif 000010
【図９】
2008293948.tif 000011
【図１０】
2008293948.tif 000012